(57)【特許請求の範囲】
【請求項１】
ゲームコンテンツ情報に設定された複数のゲームコンテンツを用いて構成された第１ゲームコンテンツ群の中から選択されたゲームコンテンツを、複数プレイヤーのそれぞれに対して付与可能に構成された情報処理装置であって、
前記第１ゲームコンテンツ群のうちの一部のゲームコンテンツを用いて第２ゲームコンテンツ群を構成するための所定条件が成立するか否かを判定する判定部と、
前記所定条件が成立すると判定された場合に、前記第１ゲームコンテンツ群のうちの一部のゲームコンテンツを用いて前記第２ゲームコンテンツ群を構成する構成部と、
前記第１ゲームコンテンツ群に対して前記複数プレイヤーを関連付けて記憶し、かつ、前記第２ゲームコンテンツ群に対して前記複数プレイヤーのうちの一部のプレイヤーを関連付けて記憶する記憶部と、
複数プレイヤーのうちの前記一部のプレイヤーからの操作入力を受け付けた際、前記第２ゲームコンテンツ群が構成されている場合に、前記第２ゲームコンテンツ群の中から選択されたゲームコンテンツを、前記一部のプレイヤーに対して付与する一方で、前記第２ゲームコンテンツ群が構成されていない場合には、前記第１ゲームコンテンツ群の中から選択されたゲームコンテンツを、前記一部のプレイヤーに対して付与し、かつ、複数プレイヤーのうちの残部のプレイヤーからの操作入力を受け付けた際には、前記第２ゲームコンテンツ群ではなく前記第１ゲームコンテンツ群の中から選択されたゲームコンテンツを、前記残部のプレイヤーに対して付与する付与部と、
を備え、
前記第１ゲームコンテンツ群を構成する各ゲームコンテンツには、希少価値に応じて複数クラスに分類されたレアリティがそれぞれ設定されており、
前記判定部は、前記所定条件の判定を行うにあたり、前記第１ゲームコンテンツ群の中に残存している所定のレアリティを有するゲームコンテンツが所定数未満である否かを判定し、
前記構成部は、前記所定条件が成立すると判定された場合として、前記第１ゲームコンテンツ群の中に残存している所定のレアリティを有するゲームコンテンツが所定数未満であると判定された場合に、前記第２ゲームコンテンツ群を構成し、かつ、前記所定条件が成立しないと判定された場合として、前記第１ゲームコンテンツ群の中に、所定のレアリティを有するゲームコンテンツが所定数以上含まれていると判定された場合には、前記第２ゲームコンテンツ群を構成しない、
ことを特徴とする情報処理装置。
【請求項２】
請求項１に記載の情報処理装置であって、
前記構成部は、前記第２ゲームコンテンツ群が構成された後に所定時間が経過したこと、又は、前記第２ゲームコンテンツ群の中から所定のレアリティを有するゲームコンテンツが付与されたこと、の少なくとも一方を条件として、前記第２ゲームコンテンツ群の再構成を行なう、
ことを特徴とする情報処理装置。
【請求項３】
請求項１又は２に記載の情報処理装置であって、
前記記憶部は、複数プレイヤーの中から所定条件に基づいて選択された前記一部のプレイヤーを、前記第２ゲームコンテンツ群に関連付けて記憶する、ことを特徴とする情報処理装置。
【請求項４】
請求項１乃至３のいずれかに記載の情報処理装置であって、
前記第１ゲームコンテンツ群を構成するゲームコンテンツに関する情報、及び、前記第２ゲームコンテンツ群を構成するゲームコンテンツに関する情報、の少なくとも一方を含むゲーム画面を生成する画面生成部と、
を備えたことを特徴とする情報処理装置。
【請求項５】
ゲームコンテンツ情報に設定された複数のゲームコンテンツを用いて構成された第１ゲームコンテンツ群の中から選択されたゲームコンテンツを、複数プレイヤーのそれぞれに対して付与可能に構成された情報処理装置であって、
前記第１ゲームコンテンツ群のうちの一部のゲームコンテンツを用いて第２ゲームコンテンツ群を構成するための所定条件が成立するか否かを判定する判定部と、
前記所定条件が成立すると判定された場合に、前記第１ゲームコンテンツ群のうちの一部のゲームコンテンツを用いて前記第２ゲームコンテンツ群を構成する構成部と、
前記第１ゲームコンテンツ群に対して前記複数プレイヤーを関連付けて記憶し、かつ、前記第２ゲームコンテンツ群に対して前記複数プレイヤーのうちの一部のプレイヤーを関連付けて記憶する記憶部と、
複数プレイヤーのうちの前記一部のプレイヤーからの操作入力を受け付けた際に、所定確率に基づき前記第１ゲームコンテンツ群及び前記第２ゲームコンテンツ群のうちの前記第２ゲームコンテンツ群の中から選択されたゲームコンテンツを、前記一部のプレイヤーに対して付与し、かつ、複数プレイヤーのうちの残部のプレイヤーからの操作入力を受け付けた際には、前記所定確率よりも低い確率に基づき前記第１ゲームコンテンツ群及び前記第２ゲームコンテンツ群のうちの前記第２ゲームコンテンツ群の中から選択されたゲームコンテンツを、前記残部のプレイヤーに対して付与する付与部と、
を備えたことを特徴とする情報処理装置。
【請求項６】
ゲームコンテンツ情報に設定された複数のゲームコンテンツを用いて構成された第１ゲームコンテンツ群の中から選択されたゲームコンテンツを、複数プレイヤーのそれぞれに対して付与可能に構成されたゲームプログラムであって、
コンピューターに、
前記第１ゲームコンテンツ群のうちの一部のゲームコンテンツを用いて第２ゲームコンテンツ群を構成するための所定条件が成立するか否かを判定する判定処理と、
前記所定条件が成立すると判定された場合に、前記第１ゲームコンテンツ群のうちの一部のゲームコンテンツを用いて前記第２ゲームコンテンツ群を構成する構成処理と、
前記第１ゲームコンテンツ群に対して前記複数プレイヤーを関連付けて記憶し、かつ、前記第２ゲームコンテンツ群に対して前記複数プレイヤーのうちの一部のプレイヤーを関連付けて記憶する記憶処理と、
複数プレイヤーのうちの前記一部のプレイヤーからの操作入力を受け付けた際、前記第２ゲームコンテンツ群が構成されている場合に、前記第２ゲームコンテンツ群の中から選択されたゲームコンテンツを、前記一部のプレイヤーに対して付与する一方で、前記第２ゲームコンテンツ群が構成されていない場合には、前記第１ゲームコンテンツ群の中から選択されたゲームコンテンツを、前記一部のプレイヤーに対して付与し、かつ、複数プレイヤーのうちの残部のプレイヤーからの操作入力を受け付けた際には、前記第２ゲームコンテンツ群ではなく前記第１ゲームコンテンツ群の中から選択されたゲームコンテンツを、前記残部のプレイヤーに対して付与する付与処理と、
を実行させ、
前記第１ゲームコンテンツ群を構成する各ゲームコンテンツには、希少価値に応じて複数クラスに分類されたレアリティがそれぞれ設定されており、
前記判定処理では、前記所定条件の判定を行うにあたり、前記第１ゲームコンテンツ群の中に残存している所定のレアリティを有するゲームコンテンツが所定数未満である否かを判定し、
前記構成処理では、前記所定条件が成立すると判定された場合として、前記第１ゲームコンテンツ群の中に残存している所定のレアリティを有するゲームコンテンツが所定数未満であると判定された場合に、前記第２ゲームコンテンツ群を構成し、かつ、前記所定条件が成立しないと判定された場合として、前記第１ゲームコンテンツ群の中に、所定のレアリティを有するゲームコンテンツが所定数以上含まれていると判定された場合には、前記第２ゲームコンテンツ群を構成しない、
ことを特徴とするゲームプログラム。
【請求項７】
ゲームコンテンツ情報に設定された複数のゲームコンテンツを用いて構成された第１ゲームコンテンツ群の中から選択されたゲームコンテンツを、複数プレイヤーのそれぞれに対して付与可能に構成されたゲームプログラムであって、
コンピューターに、
前記第１ゲームコンテンツ群のうちの一部のゲームコンテンツを用いて第２ゲームコンテンツ群を構成するための所定条件が成立するか否かを判定する判定処理と、
前記所定条件が成立すると判定された場合に、前記第１ゲームコンテンツ群のうちの一部のゲームコンテンツを用いて前記第２ゲームコンテンツ群を構成する構成処理と、
前記第１ゲームコンテンツ群に対して前記複数プレイヤーを関連付けて記憶し、かつ、前記第２ゲームコンテンツ群に対して前記複数プレイヤーのうちの一部のプレイヤーを関連付けて記憶する記憶処理と、
複数プレイヤーのうちの前記一部のプレイヤーからの操作入力を受け付けた際に、所定確率に基づき前記第１ゲームコンテンツ群及び前記第２ゲームコンテンツ群のうちの前記第２ゲームコンテンツ群の中から選択されたゲームコンテンツを、前記一部のプレイヤーに対して付与し、かつ、複数プレイヤーのうちの残部のプレイヤーからの操作入力を受け付けた際には、前記所定確率よりも低い確率に基づき前記第１ゲームコンテンツ群及び前記第２ゲームコンテンツ群のうちの前記第２ゲームコンテンツ群の中から選択されたゲームコンテンツを、前記残部のプレイヤーに対して付与する付与処理と、
を実行させることを特徴とするゲームプログラム。
【発明の詳細な説明】
【技術分野】
【０００１】
本発明は、情報処理装置、及び、ゲームプログラムに関する。
【背景技術】
【０００２】
複数のゲームコンテンツから構成されるゲームコンテンツ群を複数のプレイヤーの間で共有し、複数のプレイヤーのうちの或るプレイヤーからゲームコンテンツの取得要求があった場合に、ゲームコンテンツ群の中からいずれかのゲームコンテンツを選択し、当該或るプレイヤーに対して付与するゲームが知られている（たとえば、特許文献１）。
【先行技術文献】
【特許文献】
【０００３】
【特許文献１】特許第５３３５９６９号公報
【発明の概要】
【発明が解決しようとする課題】
【０００４】
このようなゲームにおいて、ゲームコンテンツ群中の或るゲームコンテンツが残り一つとなったときに、異なる２以上のプレイヤーからほぼ同時に取得要求がなされる可能性がある。そして、取得要求を行ったプレイヤーのうちの一人がそのゲームコンテンツを取得すると、ゲームコンテンツ群中の当該ゲームコンテンツの残数がゼロとなるため、他のプレイヤーは当該ゲームコンテンツを取得することができなくなる。
この場合、他のプレイヤーは当該ゲームコンテンツの残数がゼロだとわかっていれば取得要求を行わなかったはずであり、当該取得要求に関して不利益を被ることになる。
本発明は、このような事情に鑑みてなされたものであり、その目的とするところは、プレイヤーが他のプレイヤーのコンテンツ取得要求によって不利益を被ることの少ないゲームを提供することにある。
【課題を解決するための手段】
【０００５】
上記課題を解決するための本発明の主たる発明は、
第１ゲームコンテンツ群の中から選択されたゲームコンテンツを、複数プレイヤーのそれぞれに対して付与可能に構成された情報処理装置であって、
前記第１ゲームコンテンツ群のうちの一部のゲームコンテンツを用いて第２ゲームコンテンツ群を構成する構成部と、
前記第２ゲームコンテンツ群に対して前記複数プレイヤーのうちの一部のプレイヤーを関連付けて記憶する記憶部と、
複数プレイヤーのうちの前記一部のプレイヤーからの操作入力を受け付けた際に、前記第２ゲームコンテンツ群の中から選択されたゲームコンテンツを、前記一部のプレイヤーに対して付与し、かつ、複数プレイヤーのうちの残部のプレイヤーからの操作入力を受け付けた際には、前記第２ゲームコンテンツ群の中から選択されたゲームコンテンツを、前記残部のプレイヤーに対して付与しない付与部と、
を備えたことを特徴とする情報処理装置である。
本発明の他の特徴については、本明細書及び添付図面の記載により明らかにする。
【図面の簡単な説明】
【０００６】
【図１】ゲームシステム１の全体構成例を示す図である。
【図２】サーバー装置１０の機能上の構成を示すブロック図である。
【図３】キャラクター情報のデータ構造例を示す図である。
【図４】アイテム情報のデータ構造例を示す図である。
【図５】プレイヤー情報のデータ構造例を示す図である。
【図６】所有キャラクター情報のデータ構造例を示す図である。
【図７】所有アイテム情報のデータ構造例を示す図である。
【図８】ゲームコンテンツ群情報のデータ構造例を示す図である。
【図９】第２ゲームコンテンツ群が構成された場合のゲームコンテンツ群情報のデータ構造例を示す図である。
【図１０】プレイヤー端末２０の機能上の構成を示すブロック図である。
【図１１】ゲームシステム１で行われる抽選ゲームの流れについて説明する図である。
【図１２】ローカルデッキの説明画面の一例を示す図である。
【図１３】抽選結果通知画面の一例を示す図である。
【図１４】ゲームコンテンツ群構成処理のフローを示す図である。
【発明を実施するための形態】
【０００７】
本明細書及び添付図面の記載により、少なくとも以下の事項が明らかとなる。
即ち、第１ゲームコンテンツ群の中から選択されたゲームコンテンツを、複数プレイヤーのそれぞれに対して付与可能に構成された情報処理装置であって、
前記第１ゲームコンテンツ群のうちの一部のゲームコンテンツを用いて第２ゲームコンテンツ群を構成する構成部と、
前記第２ゲームコンテンツ群に対して前記複数プレイヤーのうちの一部のプレイヤーを関連付けて記憶する記憶部と、
複数プレイヤーのうちの前記一部のプレイヤーからの操作入力を受け付けた際に、前記第２ゲームコンテンツ群の中から選択されたゲームコンテンツを、前記一部のプレイヤーに対して付与し、かつ、複数プレイヤーのうちの残部のプレイヤーからの操作入力を受け付けた際には、前記第２ゲームコンテンツ群の中から選択されたゲームコンテンツを、前記残部のプレイヤーに対して付与しない付与部と、
を備えたことを特徴とする情報処理装置である。
このような情報処理装置によれば、第２ゲームコンテンツ群の中からゲームコンテンツを付与されるのは、複数のうちの一部のプレイヤーに限られるため、残部のプレイヤーからのゲームコンテンツ取得要求によって一部のプレイヤーが不利益を被る可能性が低くなる。その結果、プレイヤーのプレイ意欲を高めることが可能となる。
【０００８】
また、かかる情報処理装置であって、前記付与部は、
複数プレイヤーのうちの前記残部のプレイヤーからの操作入力を受け付けた際にも、前記第２ゲームコンテンツ群の中から選択されたゲームコンテンツを、前記残部のプレイヤーに対して付与し、かつ、
前記第２ゲームコンテンツ群の中から選択されたゲームコンテンツを、前記一部のプレイヤーに対して付与するよりも低い確率で前記残部のプレイヤーに対して付与する、こととしても良い。
このような情報処理装置によれば、残部のプレイヤーのコンテンツ取得確率が、一部のプレイヤーのコンテンツ取得確率よりも低くなるため、残部のプレイヤーからの取得要求によって一部のプレイヤーが不利益を被る可能性を低くすることができる。
【０００９】
また、かかる情報処理装置であって、前記構成部は、所定条件の成立後に、前記第２ゲームコンテンツ群の再構成を行なう、こととしても良い。
このような情報処理装置によれば、第２ゲームコンテンツ群中に含まれるゲームコンテンツの種類や数量を初期状態に近い状態に戻すことで、再構成された第２ゲームコンテンツ群から、プレイヤーが所望のゲームコンテンツを取得し得るようにすることができる。
【００１０】
また、かかる情報処理装置であって、前記構成部は、所定条件の成立後に、前記第２ゲームコンテンツ群を構成しない、こととしても良い。
このような情報処理装置によれば、第２ゲームコンテンツ群が不必要に構成されることが抑制され、制御部の処理負担を軽減することができる。
【００１１】
また、かかる情報処理装置であって、前記第１ゲームコンテンツ群を構成する各ゲームコンテンツには、希少価値に応じて複数クラスに分類されたレアリティがそれぞれ設定されており、
前記所定条件は、前記第１ゲームコンテンツ群の中に、所定のレアリティを有するゲームコンテンツが所定数以上含まれていることである、こととしても良い。
このような情報処理装置によれば、第１ゲームコンテンツ群中のコンテンツに対して複数のプレイヤーが同時に取得要求を行ったとしても、ゲームコンテンツが所定数以上含まれているため、他のプレイヤーの取得要求によって一部のプレイヤーが不利益を被る可能性が低くなる。
【００１２】
また、かかる情報処理装置であって、前記構成部は、前記第１ゲームコンテンツ群を構成するゲームコンテンツのレアリティよりも高いレアリティを有するゲームコンテンツが選択され易くなるように、前記第２ゲームコンテンツ群を構成する、こととしても良い。
このような情報処理装置によれば、高いレアリティを有するゲームコンテンツに対して複数のプレイヤーから同時に取得要求がなされることを抑制しやすくなる。
【００１３】
また、かかる情報処理装置であって、前記記憶部は、複数プレイヤーの中から所定条件に基づいて選択された前記一部のプレイヤーを、前記第２ゲームコンテンツ群に関連付けて記憶する、こととしても良い。
このような情報処理装置によれば、所定条件を満たした一部のプレイヤーが高いレアリティを有するゲームコンテンツを取得できる可能性が高くなる。
【００１４】
また、かかる情報処理装置であって、
前記第１ゲームコンテンツ群を構成するゲームコンテンツに関する情報、及び、前記第２ゲームコンテンツ群を構成するゲームコンテンツに関する情報、の少なくとも一方を含むゲーム画面を生成する画面生成部と、
を備えたことを特徴とすることとしても良い。
このような情報処理装置によれば、プレイヤーにゲームコンテンツに関する情報を提示することで、プレイヤーの意欲を高め、ゲームへの参加を促進することができる。
【００１５】
次に、第１ゲームコンテンツ群の中から選択されたゲームコンテンツを、複数プレイヤーのそれぞれに対して付与可能に構成されたゲームプログラムであって、
コンピューターに、
前記第１ゲームコンテンツ群のうちの一部のゲームコンテンツを用いて第２ゲームコンテンツ群を構成する構成処理と、
前記第２ゲームコンテンツ群に対して前記複数プレイヤーのうちの一部のプレイヤーを関連付けて記憶部に記憶する記憶処理と、
複数プレイヤーのうちの前記一部のプレイヤーからの操作入力を受け付けた際に、前記第２ゲームコンテンツ群の中から選択されたゲームコンテンツを、前記一部のプレイヤーに対して付与し、かつ、複数プレイヤーのうちの残部のプレイヤーからの操作入力を受け付けた際には、前記第２ゲームコンテンツ群の中から選択されたゲームコンテンツを、前記残部のプレイヤーに対して付与しない付与処理と、
を実行させることを特徴とするゲームプログラムである。
このようなゲームプログラムによれば、残部のプレイヤーからのゲームコンテンツ取得要求によって一部のプレイヤーが不利益を被る可能性が低くなる。
【００１６】
＝＝＝実施形態＝＝＝
＜＜ゲームシステム１の構成＞＞
図１は、ゲームシステム１の全体構成の一例を示す図である。ゲームシステム１は、ネットワーク２（例えば、インターネット等）を介してゲームに関する各種サービスをプレイヤーに提供するものであり、サーバー装置１０と、複数のプレイヤー端末２０と、を含んで構成される。
【００１７】
本実施形態に係るゲームシステム１は、ゲームコンテンツの一例としてのキャラクターカード（以下、単に「キャラクター」とも呼ぶ）の獲得を目的とする抽選ゲームをプレイヤーに提供することができる。
【００１８】
本実施形態の抽選ゲームでは、ゲームコンテンツの取得要求を行ったプレイヤーに対して、複数のゲームコンテンツを有する第１ゲームコンテンツ群の中から選択されたゲームコンテンツを付与することにより、抽選が行われる。
【００１９】
第１ゲームコンテンツ群は複数のプレイヤーによって共有されているため、各々のプレイヤーは所望のキャラクター（例えば、レアリティのクラスが高いキャラクター）を取得することを希望して、抽選を繰り返す。その結果、ゲームコンテンツ群に含まれるキャラクターの残数は徐々に減少していき、それに伴って各プレイヤーが所望するキャラクターの残数も減少していく。
【００２０】
このような場合に、本実施形態では第１ゲームコンテンツ群のうちの一部のゲームコンテンツを用いて第２ゲームコンテンツ群を生成し、複数のプレイヤーのうちの一部のプレイヤーによって当該第２ゲームコンテンツ群を共有させる。この第２ゲームコンテンツ群に含まれるキャラクターは一部のプレイヤー以外の他のプレイヤーは取得しにくくなっている。これにより、一部のプレイヤーがその他のプレイヤーによる抽選の結果によって不利益を被るおそれが軽減され、また、当該一部のプレイヤーに所望のキャラクターを取得させやすくすることができる。
【００２１】
＜＜サーバー装置１０の構成＞＞
図２は、サーバー装置１０の機能上の構成を示すブロック図である。サーバー装置１０は、システム管理者等が各種サービスを運営・管理する際に利用する情報処理装置（例えば、ワークステーションやパーソナルコンピューター等）である。サーバー装置１０は、プレイヤー端末２０から各種のコマンド（リクエスト）を受信すると、プレイヤー端末２０上で動作可能なゲームプログラム・各種データや、プレイヤー端末２０の規格に合わせたマークアップ言語（ＨＴＭＬ等）で作成されたＷｅｂページ（ゲーム画面等）を送信（レスポンス）する。サーバー装置１０は、制御部１１と、記憶部１２と、入力部１３と、表示部１４と、通信部１５と、を有する。
【００２２】
制御部１１は、各部間のデータの受け渡しを行うと共に、サーバー装置１０全体の制御を行うものであり、ＣＰＵ（Central Processing Unit）が所定のメモリに格納されたプログラムを実行することによって実現される。本実施形態における制御部１１は、少なくとも、付与部１１１、コンテンツ群構成部１１２（構成部）、判定処理部１１３、対戦処理部１１４、画面生成部１１５を備える。
【００２３】
付与部１１１は、ゲームコンテンツ（キャラクター）の抽選に関する各種処理を実行する機能を有している。本実施形態における付与部１１１は、プレイヤーからの操作入力を受け付けた場合にゲームコンテンツ群の中からゲームコンテンツの抽選を行ない、抽選されたゲームコンテンツをプレイヤーに対して付与する。また、ゲームコンテンツ群が複数設けられている場合には、どのコンテンツ群から抽選を行うのかを決定し、決定されたゲームコンテンツ群の中からゲームコンテンツの抽選を行なう。
【００２４】
コンテンツ群構成部１１２は、ゲームコンテンツ群の構成に関する各種処理を実行する機能を有している。本実施形態におけるコンテンツ群構成部１１２は、第１ゲームコンテンツ群のうちの一部のゲームコンテンツを用いて、所定の条件に基づいて第２ゲームコンテンツ群を構成する。
【００２５】
判定処理部１１３は、判定に関する各種処理を実行する機能を有している。本実施形態における判定処理部１１３は、例えば、第２ゲームコンテンツ群を構成すべき条件が成立したか否かについて判定を行う。
【００２６】
対戦処理部１１４は、キャラクターを用いた対戦ゲームに関する各種処理を実行する機能を有している。本実施形態の対戦処理部１１４は、プレイヤーキャラクターとエネミーキャラクターとの対戦について勝敗を決定する。そして、プレイヤーキャラクターの勝利を決定した場合には、プレイヤーに対してゲームポイント（例えば勝利数ポイントや経験値）を付与したり、ゲームにおけるプレイヤーのランキングを変動させたりする。
【００２７】
画面生成部１１５は、ゲーム画面をプレイヤー端末２０に表示させるための画面データを生成する処理を実行する機能を有している。本実施形態における画面生部１１５は、ゲーム画面に対応する画面データとしてＨＴＭＬデータを生成する。
【００２８】
記憶部１２は、システムプログラムが記憶された読み取り専用の記憶領域であるＲＯＭ（Read Only Memory）と、制御部１１による演算処理のワーク領域として使用される書き換え可能な記憶領域であるＲＡＭ（Random Access Memory）とを有しており、例えば、フラッシュメモリやハードディスク等の不揮発性記憶装置によって実現される。本実施形態における記憶部１２は、キャラクター情報、アイテム情報、プレイヤー情報、ゲームコンテンツ群情報、等の各種データが記憶されている。
【００２９】
入力部１３は、システム管理者等が各種データ（例えば、キャラクター情報等）を入力するためのものであり、例えば、キーボードやマウス等によって実現される。
【００３０】
表示部１４は、制御部１１からの指令に基づいてシステム管理者用の操作画面を表示するためのものであり、例えば、液晶ディスプレイ（ＬＣＤ：Liquid Crystal Display）等によって実現される。
【００３１】
通信部１５は、ネットワーク２を介してプレイヤー端末２０との間で各種情報の送受信を行うための送受信部として機能するものであり、例えば、ＮＩＣ（Network Interface Card）等によって実現されるものである。
【００３２】
図３は、キャラクター情報のデータ構造例を示す図である。このキャラクター情報には、キャラクターＩＤに対応付けて、少なくとも、キャラクター名、キャラクター画像、複数の段階のクラスに分類されたレアリティ（例えば、Ｒ１「コモン」→Ｒ２「アンコモン」→Ｒ３「レア」→Ｒ４「スーパーレア」→Ｒ５「特スーパーレア」→Ｒ６「ウルトラレア」）、そして初期攻撃力、最大攻撃力、初期防御力、最大防御力、初期体力、最大体力等の各種パラメーターの初期値及び最大値が設定されている。
【００３３】
図４は、アイテム情報のデータ構造例を示す図である。このアイテム情報には、アイテムＩＤに対応付けて、少なくとも、アイテム名が設定されている。
【００３４】
図５は、プレイヤー情報のデータ構造例を示す図である。このプレイヤー情報には、プレイヤーＩＤに対応付けて、少なくとも、プレイヤー名、仮想通貨、プレイヤーが所有するキャラクター（以下、「所有キャラクター」とも呼ぶ）に関する情報である所有キャラクター情報、プレイヤーが所有するアイテム（「所有アイテム」とも呼ぶ）に関する情報である所有アイテム情報、そして、ゲーム進行に関するゲーム進行情報が設定されている。仮想通貨は、プレイヤーが所有している仮想通貨（ゲーム内で使用可能な通貨）の量を示す情報である。プレイヤーは、仮想通貨を購入することで所有することができ、ゲーム内で当該仮想通貨を使用すること等により、キャラクターを取得するための抽選を行うことができる。ゲーム進行情報は、例えば、ゲーム内における現在のプレイヤーのランキングや経験値、勝利数ポイント、ゲームへのログイン回数等が設定された情報である。
【００３５】
図６は、所有キャラクター情報のデータ構造例を示す図である。この所有キャラクター情報には、所有キャラクターのキャラクターＩＤに対応付けて、少なくとも、レベル、攻撃力、防御力、体力の各種パラメーターの現在値が設定されている。
【００３６】
図７は、所有アイテム情報のデータ構造例を示す図である。この所有アイテム情報には、アイテムＩＤに対応付けて、少なくとも、プレイヤーが所有するアイテムの所有数が設定されている。
【００３７】
図８は、ゲームコンテンツ群情報のデータ構造例を示す図である。同図８では第１ゲームコンテンツ群の構成例について示している。このゲームコンテンツ群情報は、抽選によってプレイヤーに付与され得るキャラクターの種類及び数について管理する情報である。ゲームコンテンツ群情報は、そのゲームコンテンツ群に収容されているキャラクターのＩＤに対応付けて、レアリティ、初期数、残存数が設定されている。初期数は、初期状態のゲームコンテンツ群に収容されているキャラクターの個数を示す情報である。残存数は、キャラクターがプレイヤーに付与された後にゲームコンテンツ群中に残存しているキャラクターの個数を示す情報である。そして、ゲームコンテンツ群情報には、そのゲームコンテンツ群に対して所定のプレイヤーのＩＤが関連付けて設定されている。ゲームコンテンツ群に関連付けられているプレイヤーとは、当該ゲームコンテンツ群に収容されているキャラクターに対する取得要求を行うことができるプレイヤーである。例えば、あるゲームコンテンツ群にＩＤ：００００００１〜０００１５００の１５００人のプレイヤーが関連付けられている場合、当該１５００人のプレイヤーはそのゲームコンテンツ群に収容されているキャラクターに対して取得要求を行うことができる。なお、ゲームコンテンツ群に対して全てのプレイヤーが関連付けられている場合は、必ずしもプレイヤーＩＤを当該ゲームコンテンツ群に対応付けて管理する必要ない。
【００３８】
上述したように、本実施形態では、コンテンツ群構成部１１２によって第２ゲームコンテンツ群が構成される場合がある。図９は、第２ゲームコンテンツ群が構成された場合のゲームコンテンツ群情報のデータ構造例を示す図である。第２ゲームコンテンツ群は、第１ゲームコンテンツ群のうちの一部のキャラクターによって構成される。そして、第１ゲームコンテンツ群に関連付けられている複数のプレイヤーのうち一部のプレイヤーのＩＤが第２ゲームコンテンツ群に関連付けられて設定されている。図９の例では、ＩＤ：００００１００の一人のプレイヤーが第２ゲームコンテンツ群に関連付けられている。詳細は後述するが、この場合、ＩＤ：００００１００のプレイヤーに対して優先的に第２ゲームコンテンツ群中のキャラクターの抽選が行われる。なお、第２ゲームコンテンツ群に関連付けられる一部のプレイヤーは一人とは限らず、複数（例えば５０人）のプレイヤーを関連付けても良い。また、本実施形態において、第２ゲームコンテンツ群が複数構成されても良い。さらに、第２ゲームコンテンツ群には、第２ゲームコンテンツ群の利用を終了するための終了条件が設定される。図９の例では、終了条件として「プレイヤーが所定のキャラクター（ＩＤ：０００４）を１つ取得すること」及び「所定時間（１０時間）が経過すること」が設定されている。また、図９では示されていないが、ゲームコンテンツ群情報には、第２ゲームコンテンツ群が構成されてからの経過時間を示す時間情報も設定されている。
【００３９】
＜＜プレイヤー端末２０の構成＞＞
図１０は、プレイヤー端末２０の機能上の構成を示すブロック図である。プレイヤー端末２０は、プレイヤーが所持し利用することができる情報処理装置（例えば、タブレット端末、携帯電話端末、スマートフォン等）である。プレイヤー端末２０は、Ｗｅｂブラウザ機能を有しているため、サーバー装置１０から送信されたＷｅｂページ（ゲーム画面等）を画面表示することができる。プレイヤー端末２０は、プレイヤー端末２０全体の制御を行う端末制御部２１と、各種データ・プログラムを記憶する端末記憶部２２と、プレイヤーが操作入力を行うための端末入力部２３と、ゲーム画面・操作画面を表示する端末表示部２４と、サーバー装置１０との間で情報通信を行う端末通信部２５を有している。
【００４０】
＜＜ゲームシステム１の動作＞＞
図１１は、ゲームシステム１で行われる抽選ゲームの流れについて説明する図である。以下の説明では、第１ゲームコンテンツ群のことを「グローバルデッキ」と呼び、第２ゲームコンテンツ群のことを「ローカルデッキ」と呼ぶ。本実施形態において、グローバルデッキは抽選ゲームの開始時点で既に構成されているものとする。
【００４１】
先ず、プレイヤーは、プレイヤー端末２０を操作して、キャラクターの仮取得要求を行う（Ｓ１０１）。サーバー装置１０が、プレイヤー端末２０から送信された仮取得要求を受け付けると（Ｓ１０２）、コンテンツ群構成部１１２は、所定の条件に応じてローカルデッキ（第２ゲームコンテンツ群）を構成するゲームコンテンツ群構成処理を行う（Ｓ１０３）。一方、所定の条件を満たさない場合にはローカルデッキは構成されないが、ここではローカルデッキが構成されるものとして説明を行う。
【００４２】
ローカルデッキが構成されると、画面生成部１１５は、プレイヤーに対してローカルデッキに関する情報について説明するゲーム画面（説明画面）のデータを生成し、プレイヤー端末２０に送信する（Ｓ１０４）。ローカルデッキに関する情報とは、ローカルデッキに収容されているキャラクターの種類やレアリティ、数量等を表す情報である。このとき、グローバルデッキに関する情報について説明する画面のデータが生成され、ローカルデッキの説明画面と共にプレイヤー端末２０に送信されても良い。また、グローバルデッキの説明画面のデータのみがプレイヤー端末２０に送信されても良い。プレイヤー端末２０は、受信したゲーム画面のデータに基づいて表示部１４に説明画面を表示させる（Ｓ１０５）。
【００４３】
図１２は、ローカルデッキの説明画面の一例を示す図である。当該説明画面では、ローカルデッキに収容されているキャラクターの残存数及び初期数がレアリティごとに表示されている。または、ローカルデッキに収容されている全てのキャラクターのうちレアリティの高いキャラクターの収容割合が表示されても良い。同時に、当該ローカルデッキの終了条件も表示される。プレイヤーは、図１２の説明画面を見て、ローカルデッキ内に所望のレアリティを有するキャラクターが含まれているか、また、所望のレアリティを有するキャラクターが当選する確率がどの程度あるか、何時までそのローカルデッキから抽選することが可能か等について検討することができる。実際に抽選を行う前に予め検討の機会を設けることで、抽選結果に関してプレイヤーが不満を抱きにくいようにしている。
【００４４】
図１１に戻って、プレイヤーが実際に抽選を行う場合には、プレイヤー端末２０を操作してキャラクターの本取得要求を行う（Ｓ１０６）。サーバー装置１０が、プレイヤー端末２０から送信された本取得要求を受け付けると（Ｓ１０７）、付与部１１１は、キャラクターの抽選を行い、抽選の結果として選択されたキャラクターをプレイヤーに付与する抽選処理を行う（Ｓ１０８）。なお、抽選処理の詳細については後で説明する。そして、制御部１１は、抽選の結果に基づいて種々のデータを変更（更新）して記憶部１２に記憶させるデータ変更処理を行う（Ｓ１０９）。データ変更処理によって変更されるデータの例としては、図６の所有キャラクター情報や、図８及び図９のゲームコンテンツ群情報中のキャラクターの残数についてのデータが挙げられる。例えば、抽選の結果、ＩＤ：０００１のキャラクターが選択された場合、プレイヤーの所有キャラクター情報としてＩＤ：０００１のキャラクターが追加して記憶され、また、ローカルデッキ及びグローバルデッキに関するゲームコンテンツ群情報のうち、ＩＤ：０００１のキャラクターの残数が１つずつ減じて記憶される。
【００４５】
そして、画面生成部１１５は、変更されたデータについてプレイヤーに通知するゲーム画面（抽選結果通知画面）のデータを生成し、プレイヤー端末２０に送信する（Ｓ１１０）。プレイヤー端末２０は、受信したゲーム画面のデータに基づいて表示部１４に抽選結果通知画面を表示させる（Ｓ１１１）。
【００４６】
図１３は、抽選結果通知画面の一例を示す図である。抽選結果通知画面では、抽選の結果、プレイヤーが取得したキャラクター名やレアリティ、キャラクター画像等が表示される。さらに、図１３に示されるように、抽選後のローカルデッキ及びグローバルデッキ、若しくはどちらか一方についてのキャラクター残数の変動具合についてのデータが表示されても良い。キャラクター残数のデータが表示されることにより、プレイヤーは引き続き抽選を行うか抽選を終了するかを検討する際の判断材料とすることができる。
【００４７】
＜ゲームコンテンツ群構成処理＞
次に、ゲームコンテンツ群構成処理（図１１のＳ１０３）の詳細について説明する。図１４は、ゲームコンテンツ群構成処理のフローを示す図である。
【００４８】
サーバー装置１０は、プレイヤー端末２０から送信されたゲームコンテンツ取得要求を受け付けると、ゲームコンテンツ群構成処理を開始する。具体的には、まず判定処理部１１３は、記憶部１２に記憶されているゲームコンテンツ群情報にアクセスし、そのプレイヤーのプレイヤーＩＤと関連付けられたローカルデッキ（第２ゲームコンテンツ群）が構成されているか否かを判断する（Ｓ１３１）。次に、判定処理部１１３は、ローカルデッキが既に構成されている場合（Ｓ１３１：Ｙｅｓ）、ローカルデッキを再構成するための所定の条件が満たされているか否かを判定する（Ｓ１３２）。Ｓ１３２における「所定の条件」とは、図９の例で示される「終了条件」に相当する条件である。例えば、そのローカルデッキにおいて所定のキャラクターが１回取得されたことや、そのローカルデッキが構成されてから現時点までに所定の時間が経過したことを要件として、現在のローカルデッキを終了させて新たなローカルデッキを再構成するか否が決定される。図９において、ローカルデッキ中に含まれるＩＤ：０００４のキャラクターの初期数は１である。ローカルデッキ中に１個しかないＩＤ：０００４のキャラクターが既に取得されている場合、プレイヤーが当該キャラクターを取得できる可能性はゼロに近い。また、ローカルデッキが構成されてから長時間が経過している場合、レアリティの高いキャラクターの残存数が少なくなっている可能性が高い。これらの場合は、ローカルデッキを一旦リセットして新たなローカルデッキを構成し直す方がプレイヤーにとって好都合である。
【００４９】
終了条件を満たしていた場合は（Ｓ１３２：Ｙｅｓ）、現在構成されているローカルデッキに関するゲームコンテンツ群情報がコンテンツ群構成部１１２によって記憶部１２から削除され、新たなローカルデッキに関するゲームコンテンツ群情報が再構成されて記憶部１２に記憶される（Ｓ１３３）。このとき再構成されるローカルデッキの情報は、削除されたローカルデッキの情報とは独立した情報であり、ローカルデッキに含まれるキャラクターの種類や数は改めて決定される。具体的には、グローバルデッキ中に含まれるキャラクターのレアリティよりも高いレアリティを有するキャラクターが選択されやすくなるように、ローカルデッキが再構成される。そのように再構成されたローカルデッキから抽選を行うことで、プレイヤーはよりレアリティの高いキャラクターを取得できる可能性が高くなるため、積極的に抽選を行う契機となる。
【００５０】
また、再構成されるローカルデッキに関連付けられるプレイヤーは、複数のプレイヤーの中から所定の条件に基づいて選択された一部のプレイヤーである。所定の条件としては、例えば、対戦で勝利数ポイントを多く稼いだプレイヤーや、ランキング上位のプレイヤーが優先的にローカルデッキに関連付けられるようにしたり、時間帯ごとに異なるプレイヤーが関連付けられたりするようにする。ローカルデッキに関連付けられるプレイヤーの数が限られることにより、当該ローカルデッキに収容されているレアリティの高いキャラクターに対して複数のプレイヤーから同時若しくは近接したタイミングで取得要求がなされる可能性が低くなる。したがって、このようなローカルデッキを設定することにより、プレイヤーが他のプレイヤーからの取得要求によって不利益を被る可能性が低くなる。
【００５１】
一方、終了条件を満たしていなかった場合は（Ｓ１３２：Ｎｏ）、新たなローカルデッキに関するゲームコンテンツ群情報は再構成されない（Ｓ１３４）。すなわち、現在構成されているローカルデッキが維持される。
【００５２】
Ｓ１３１に戻って、ローカルデッキが構成されていなかった場合（Ｓ１３１：Ｎｏ）、判定処理部１１３によって、ローカルデッキを新たに構成するための所定の条件を満たしているか否かが判定される（Ｓ１３５）。所定の条件を満たしていた場合は（Ｓ１３５：Ｙｅｓ）、コンテンツ群構成部１１２によって新たなローカルデッキに関するゲームコンテンツ群情報が構成されて記憶部１２に記憶される（Ｓ１３６）。ローカルデッキの構成についてはＳ１３３と同様である。一方、所定の条件を満たしていなかった場合（Ｓ１３５：Ｎｏ）、コンテンツ群構成部１１２はローカルデッキを構成しない。この場合は、グローバルデッキのみが構成されていることになる。
【００５３】
本実施形態でＳ１３５における「所定の条件」とは、例えば、グローバルデッキ中に残存している所定のレアリティを有するキャラクターが所定数未満であることである。当該条件を満たす場合、コンテンツ群構成部１１２によってローカルデッキが構成される。逆に、グローバルデッキ中に所定のレアリティを有するキャラクターが所定数以上含まれている場に、コンテンツ群構成部１１２はローカルデッキを構成しない。レアリティの高いキャラクターがある程度の数量だけグローバルデッキに含まれている場合、複数のプレイヤーから同時若しくは近接したタイミングで取得要求がなされたとしても、複数のプレイヤーが当該キャラクターをそれぞれ取得することが可能である。そのため、プレイヤーが他のプレイヤーからのキャラクター取得要求によって不利益を被る可能性が低く、ローカルデッキを構成する必要性が低いためである。
【００５４】
＜抽選処理＞
続いて、抽選処理（図１１のＳ１０８）について説明する。サーバー装置１０が、プレイヤー端末２０から送信されたキャラクター取得要求を受け付けると、判定処理部１１３は、取得要求を行ったプレイヤーのＩＤに基づき、記憶部１２に記憶されているゲームコンテンツ群情報を参照し、当該プレイヤーのＩＤとローカルデッキ（第２ゲームコンテンツ群）とが関連付けられているか否かを判定する。付与部１１１は、当該プレイヤーのＩＤとローカルデッキ（第２ゲームコンテンツ群）とが関連付けられている場合には、そのローカルデッキを抽選対象のゲームコンテンツ群として決定する。そして、付与部１１１は、ローカルデッキに収容されているキャラクターの中から或るキャラクターを選択してプレイヤーに付与する処理を行う。すなわち、複数のプレイヤーのうち、ローカルデッキに関連付けられている一部のプレイヤーから取得要求を受け付けた場合には、付与部１１１はローカルデッキからキャラクターの抽選を行う。
【００５５】
一方、当該プレイヤーのＩＤとローカルデッキ（第２ゲームコンテンツ群）とが関連付けられていない場合には、ローカルデッキを抽選対象のゲームコンテンツ群として決定せず、グローバルデッキ（第１ゲームコンテンツ群）を抽選対象のゲームコンテンツ群として決定する。そして、付与部１１１は、グローバルデッキに収容されているキャラクターの中から或るキャラクターを選択してプレイヤーに付与する。つまり、複数のプレイヤーのうち、ローカルデッキに関連付けられている一部のプレイヤー以外の残部のプレイヤーからの取得要求を受け付けた場合、付与部１１１はローカルデッキからキャラクターの抽選を行わない。言い換えると、付与部１１１はローカルデッキの中から選択されたキャラクターを残部のプレイヤーに対して付与しない。
【００５６】
このような処理であれば、ローカルデッキに収容されているキャラクターは、ローカルデッキに関連付けられた一部のプレイヤーによってのみ取得され得ることとなり、その他の残部のプレイヤーによっては取得されない。したがって、当該一部のプレイヤーが残部のプレイヤーの取得要求によって不利益を被る可能性を低くすることができる。
【００５７】
但し、以下のように変形することも可能である。すなわち、一部のプレイヤーがグローバルデッキからキャラクターを取得したり、残部のプレイヤーがローカルデッキからキャラクターを取得したりする構成であっても良い。この場合、ローカルデッキには所定の抽選確率が設定される。例えば、ローカルデッキに関連付けられた一部のプレイヤーからキャラクター取得要求を受け付けた場合、付与部１１１は８０％の確率でローカルデッキから抽選を行い、２０％の確率でそれ以外のゲームコンテンツ群（ここではグローバルデッキ）から抽選を行う。一方、残部のプレイヤーからキャラクター取得要求を受け付けた場合、付与部１１１は２０％の確率でローカルデッキから抽選を行い、８０％の確率でグローバルデッキから抽選を行う。ローカルデッキの抽選確率をこのように設定すれば、付与部１１１は、ローカルデッキの中から選択されたキャラクターを、一部のプレイヤーに対して付与するよりも低い確率で残部のプレイヤーに対して付与することになる。つまり、ローカルデッキに収容されているキャラクターはローカルデッキに関連付けられた一部のプレイヤーによって取得される確率が高くなり、残部のプレイヤーによって取得される確率は低くなる。この場合も、一部のプレイヤーが残部のプレイヤーの取得要求によって不利益を被る可能性を低くすることができる。
【００５８】
＝＝＝その他の実施形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物も含まれる。特に、以下に述べる実施形態であっても、本発明に含まれるものである。
【００５９】
＜ローカルデッキの構成＞
上記の実施形態では、プレイヤーからのキャラクター取得要求（仮取得要求）を受け付けることを要件として、コンテンツ群構成部１１２によってローカルデッキ（第２ゲームコンテンツ群）が構成されていたが、本発明はこれに限定されるものではない。例えば、プレイヤーによる仮取得要求を受け付けていない場合でも、コンテンツ群構成部１１２は、所定時間が経過する毎にローカルデッキを構成したり初期化したりする構成でも良い。さらに、コンテンツ群構成部１１２は、プレイヤーからの要求に応じてローカルデッキを再構成したり初期化したりする構成でも良い。
【００６０】
＜ローカルデッキに関連付けられるプレイヤー＞
上記の実施形態では、ローカルデッキが構成される際に、当該ローカルデッキに対して一人以上のプレイヤーが関連付けられて設定されていたが、本発明はこれに限定されるものではない。例えば、ローカルデッキが構成された後、時間経過に応じてそのローカルデッキに関連付けられるプレイヤーを変化させても良い。この場合、例えば或るローカルデッキに対して１０時〜１１時まではＩＤ：０００１〜０００５のプレイヤーが関連付けられ、１１時〜１２時まではＩＤ：０００６〜００１０のプレイヤーが関連付けられる等、ローカルデッキに関連付けられるプレイヤーが刻々と変化することになる。
【００６１】
また、プレイ頻度の高いプレイヤーや、勝利数ポイントを多く獲得したプレイヤーほど長い時間ローカルデッキに関連付けられたり、同じローカルデッキに関連付けられる人数を少なくしたりする構成であっても良い。また、ゲームでランキング上位に入賞したプレイヤーのみがローカルデッキに関連付けられる構成としても良い。これらの構成であれば、頑張ってゲームで好成績をあげたプレイヤーほど、有利な条件でローカルデッキからキャラクターを取得することができるようになるため、ゲームに対するプレイヤーの意欲を高めることができる。
【００６２】
＜サーバー装置＞
上記の実施形態では、サーバー装置の一例として１台のサーバー装置１０を備えたゲームシステム１を例に挙げて説明したが、これに限らず、サーバー装置の一例として複数台のサーバー装置１０を備えたゲームシステム１としても良い。すなわち、複数台のサーバー装置１０がネットワーク２を介して接続され、各サーバー装置１０が各種処理を分散して行うようにしても良い。
【００６３】
＜情報処理装置＞
上記の実施形態におけるゲームシステム１では、ゲームプログラムに基づきサーバー装置１０及びプレイヤー端末２０を協働させて各種情報処理を実行する場合を例に挙げて説明したが、これに限定されるものではなく、情報処理装置としてのプレイヤー端末２０単体、または、サーバー装置１０単体が、ゲームプログラムに基づき上記の各種情報処理を実行するようにしても良い。
また、情報処理装置としての機能の一部をプレイヤー端末２０が担う構成としても良い。この場合には、サーバー装置１０及びプレイヤー端末２０が情報処理装置を構成する。
なお、情報処理装置はプロセッサー及びメモリを備えるコンピューターの一例である。
【符号の説明】
【００６４】
１  ゲームシステム、２  ネットワーク、１０  サーバー装置、１１  制御部、１２  記憶部、１３  入力部、１４  表示部、１５  通信部、２０  プレイヤー端末、２１  端末制御部、２２  端末記憶部、２３  端末入力部、２４  端末表示部、２５  端末通信部、１１１  付与部、１１２  コンテンツ群構成部、１１３  判定処理部、１１４  対戦処理部、１１５  画面生成部
【図１】
0005937734.tif 000002
【図２】
0005937734.tif 000003
【図３】
0005937734.tif 000004
【図４】
0005937734.tif 000005
【図５】
0005937734.tif 000006
【図６】
0005937734.tif 000007
【図７】
0005937734.tif 000008
【図８】
0005937734.tif 000009
【図９】
0005937734.tif 000010
【図１０】
0005937734.tif 000011
【図１１】
0005937734.tif 000012
【図１２】
0005937734.tif 000013
【図１３】
0005937734.tif 000014
【図１４】
0005937734.tif 000015